(57)【特許請求の範囲】
【請求項１】
一側の空間と他側の空間を区画する建具であって、
前記建具に組み込まれ、前記一側の空間の温度が伝熱される一側の部位と前記他側の空間の温度が伝熱される他側の部位の温度差に基づいて発電する熱発電部と、
前記建具の一側面に設けられ、前記熱発電部の前記一側の部位と前記一側の空間を連通する第１伝熱部と、
前記建具の他側面に設けられ、前記熱発電部の前記他側の部位と前記他側の空間を連通する第２伝熱部と、
前記建具の少なくとも一側の面に配置され、前記熱発電部によって生じた電力により作動し、前記温度差を表示する温度差表示部と、
を備え、
前記第１伝熱部は、前記建具の一側面に形成される第１開口部の空間により構成され、
前記第２伝熱部は、前記建具の他側面の前記第１開口部に対応する位置に形成される第２開口部の空間により構成される建具。
【請求項２】
一側の空間と他側の空間を区画する建具であって、
前記建具に組み込まれ、前記一側の空間の温度が伝熱される一側の部位と前記他側の空間の温度が伝熱される他側の部位の温度差に基づいて発電する熱発電部と、
前記建具の一側面に設けられ、前記熱発電部の前記一側の部位と前記一側の空間を連通する第１伝熱部と、
前記建具の他側面に設けられ、前記熱発電部の前記他側の部位と前記他側の空間を連通する第２伝熱部と、
前記建具に設けられ、前記熱発電部によって生じた電力により作動し、前記温度差に基づく温度差情報を送信する通信部と、
を備え、
前記第１伝熱部は、前記建具の一側面に形成される第１開口部の空間により構成され、
前記第２伝熱部は、前記建具の他側面の前記第１開口部に対応する位置に形成される第２開口部の空間により構成される建具。
【請求項３】
前記第１伝熱部と前記第２伝熱部の連通を遮るシール部材を更に備える請求項１又は２に記載の建具。
【発明の詳細な説明】
【技術分野】
【０００１】
本発明は、一側の空間と他側の空間を区画する建具に関する。
【背景技術】
【０００２】
リビングから脱衣所や浴室等の温度差が大きい空間に入ったときに急激な温度変化によって身体に負担がかかる、いわゆるヒートショック現象が従来から知られている。このような現象を防止する方法としては予め空間の温度を測定し、温度差が大きいか否かを前もって知ることが考えられる。空間の温度を測定し、ユーザに当該情報を提供する技術を開示するものとして例えば特許文献１がある。特許文献１には、建具としてのドアに設けられた環境センサが取得した温度等の情報をサーバに送信し、住宅の所定箇所に設置される表示端末に環境センサの検出結果を表示する技術が開示されている。
【先行技術文献】
【特許文献】
【０００３】
【特許文献１】特開２０１３−２０７７７３号公報
【発明の概要】
【発明が解決しようとする課題】
【０００４】
ヒートショックを防止するためには一側の空間と他側の空間の温度差を検出する必要がある。この点、特許文献１に開示される技術では、空間の温度を検出するための環境センサを戸体の両側に配置する必要がある上に、該環境センサに電力を供給しなければならないため、温度差を伝達するための装置構成が複雑化してしまう。このように、従来の技術には温度差を検出するための構成が複雑化してしまう点で改善の余地があった。
【０００５】
本発明は、一側の空間と他側の空間の温度差をユーザに伝達するための機能をシンプルな構成で実現する建具を提供することを目的とする。
【課題を解決するための手段】
【０００６】
本発明は、一側の空間（例えば、後述の第１の部屋１００）と他側の空間（例えば、後述の第２の部屋２００）を区画する建具（例えば、後述のドア１０，５１０）であって、前記建具に組み込まれ、前記一側の空間の温度が伝熱される一側の部位（例えば、後述の第１側面２２）と前記他側の空間の温度が伝熱される他側の部位（例えば、後述の第２側面２３）の温度差に基づいて発電する熱発電部（例えば、後述のゼーベック素子２１）と、前記建具の少なくとも一側の面に配置され、前記熱発電部によって生じた電力により作動し、前記温度差を表示する温度差表示部（例えば、後述のＬＥＤランプ５２）と、を備える建具に関する。
【０００７】
また、本発明は、一側の空間（例えば、後述の第１の部屋１００）と他側の空間（例えば、後述の屋外３００）を区画する建具（例えば、後述の窓８０）であって、前記建具に組み込まれ、前記一側の空間の温度が伝熱される一側の部位（例えば、後述の第１側面２２２）と前記他側の空間の温度が伝熱される他側の部位（例えば、後述の第２側面２２３）の温度差に基づいて発電する熱発電部（例えば、後述のゼーベック素子２２１）と、前記建具に設けられ、前記熱発電部によって生じた電力により作動し、前記温度差に基づく温度差情報を送信する通信部（例えば、後述の電子回路９１）と、を備える建具に関する。
【０００８】
前記建具（例えば、後述のドア１０及び窓８０）は、前記建具の一側面に設けられ、前記熱発電部の前記一側の部位と前記一側の空間を連通する第１伝熱部（例えば、後述の第１伝熱空間３０，３１，３２）と、前記建具の他側面に設けられ、前記熱発電部の前記他側の部位と前記他側の空間を連通する第２伝熱部（例えば、後述の第２伝熱空間４０，４１，４２）と、前記第１伝熱部と前記第２伝熱部の連通を遮るシール部材（例えば、後述の素子シール部材６３，７３及び建具シール部材６２，７２）と、を更に備えることが好ましい。
【発明の効果】
【０００９】
本発明によれば、一側の空間と他側の空間の温度差をユーザに伝達するための機能をシンプルな構成で実現する建具を提供できる。
【図面の簡単な説明】
【００１０】
【図１】本発明の一実施形態に係る建具が適用される建築物を模式的に示した平面図である。
【図２】本実施形態のドアの内部の様子を模式的に示す断面図である。
【図３】本実施形態の窓の枠体の内部の様子を模式的に示す断面図である。
【図４】変形例のドアの内部の様子を模式的に示す断面図である。
【発明を実施するための形態】
【００１１】
以下、本発明の好ましい一実施形態について、図面を参照しながら説明する。図１は、本発明の一実施形態に係る建具が適用される建築物１を模式的に示した平面図である。
【００１２】
図１に示すように、本実施形態の建築物１は、区画された空間を有する住宅である。この建築物１の第１の部屋１００（一側の空間）と第２の部屋２００（他側の空間）を区画する場所に建具としてのドア１０が設けられる。
【００１３】
第１の部屋１００は、リビング等の空間であり、第２の部屋２００に対してドア１０の一側に位置する空間である。
【００１４】
第１の部屋１００には、第１の部屋１００と屋外３００を区画する建具としての窓８０が設けられる。第１の部屋１００は居住スペースであり、冷暖房設備（図示省略）が配置されているため、第１の部屋１００と屋外３００は温度差が生じやすい関係にある。
【００１５】
また、第１の部屋１００には、通信機能及び画像表示機能を有する表示端末９６が設置される。表示端末９６は、通信機能によって取得した各種の情報を管理するサーバであり、各種の情報に基づく画像を表示するディスプレイ（図示省略）を有している。なお、本実施形態の表示端末９６は、据え置き式のものであってもよいし、持ち運び可能ないわゆるタブレット端末のようなものでもよい。
【００１６】
第２の部屋２００は、脱衣所、浴室又はトイレ等のドア１０を挟んだ他側の空間であり、第１の部屋よりも温度が低くなる傾向がある空間とする。即ち、第１の部屋１００と第２の部屋２００は温度差が生じやすい関係にある。
【００１７】
本実施形態のドア１０は、第１の部屋１００から第２の部屋２００に移動するときに生じるヒートショックの危険をユーザに喚起するための温度差表示機能を有する。また、窓８０は、第１の部屋１００と屋外３００の温度差を示す温度差情報を表示端末９６に送信し、表示端末９６を介して温度差をユーザに伝達する機能を有する。
【００１８】
まず、温度差を表示する機能を実現するドア１０の各構成について説明する。図２は、ドア１０の内部の様子を模式的に示す断面図である。図２では、紙面右側には相対的に暖かい空間となる傾向がある第１の部屋１００が位置し、左側には相対的に寒い空間となる傾向がある第２の部屋２００が位置するものとする。また、以下の説明では、閉鎖状態においてドア１０における第１の部屋１００を向く面を第１面材１１と称し、第２の部屋２００を向く面を第２面材１２と称して説明する。
【００１９】
ドア１０は、ドアノブ１５を回してドア１０を開閉させるタイプの戸体である。図２に示すように、ドア１０の内側には、熱発電部としてのゼーベック素子２１を組み込むための内部空間５００が形成される。
【００２０】
ドア１０の第１面材１１には第１開口部１１０が形成される。第１開口部１１０の内壁により、ゼーベック素子２１の第１の部屋１００側である第１側面２２と第１の部屋１００を接続する第１伝熱空間３０が形成される。
【００２１】
第１伝熱空間３０は、第１の部屋１００に連通しており、第１の部屋１００から空気が流入可能になっている。この第１伝熱空間３０の温度が第１側面２２に伝導されることにより、ゼーベック素子２１に第１の部屋１００の温度が伝熱される。
【００２２】
ドア１０の第２面材１２における第１開口部１１０に対応する位置に第２開口部１２０が形成される。第２開口部１２０は、第１開口部１１０より大きく形成されており、その内側に伝熱部形成部材１３が設けられる。伝熱部形成部材１３と第２面材１２の隙間には建具シール部材７２が設けられている。伝熱部形成部材１３は建具シール部材７２を介して第２面材１２に支持される。
【００２３】
伝熱部形成部材１３には、伝熱部開口部１３０が形成される。この伝熱部開口部１３０の内壁により、ゼーベック素子２１の第２の部屋２００側の面である第２側面２３と第２の部屋２００を接続する第２伝熱空間４０が形成される。
【００２４】
第２伝熱空間４０は、第２の部屋２００に連通しており、第２の部屋２００から空気が流入可能になっている。この第２伝熱空間４０の温度が第２側面２３に伝導されることにより、ゼーベック素子２１に第２の部屋２００の温度が伝熱される。
【００２５】
ゼーベック素子２１と第１面材１１の間には素子シール部材６３が設けられており、この素子シール部材６３によってゼーベック素子２１の第１側面２２と第１面材１１の裏側の間の隙間が埋められている。素子シール部材６３は、断熱性を有する材料、例えば断熱ゴムで形成されており、ゼーベック素子２１と第１面材１１の隙間から外側の空気がドア１０の内部空間５００に流入することを防ぐとともに、第１面材１１からゼーベック素子２１への熱伝導を遮っている。
【００２６】
ゼーベック素子２１と伝熱部形成部材１３の間には素子シール部材７３が設けられており、ゼーベック素子２１の第２側面２３と伝熱部形成部材１３の裏側の間の隙間が埋められている。素子シール部材７３は、断熱性を有する材料、例えば断熱ゴムで形成されており、ゼーベック素子２１と伝熱部形成部材１３の隙間から外側の空気がドア１０の内部空間５００に流入することを防ぐとともに、伝熱部形成部材１３からゼーベック素子２１への熱伝導を遮っている。
【００２７】
本実施形態のゼーベック素子２１は、これらの素子シール部材６３，７３を介してドア１０内部の厚み方向の略中央で固定されており、第１伝熱空間３０と第２伝熱空間４０の連通を遮蔽している。また、素子シール部材６３，７３によって、内部空間５００を通じて第１伝熱空間３０の空気と第２伝熱空間４０の空気が混ざり合う事態も防止されている。更に、第２面材１２と伝熱部形成部材１３の間にも建具シール部材７２が配置されているので、第２面材１２と伝熱部形成部材１３の隙間から第２の部屋２００の空気がドア１０の内部空間５００に混ざり合う事態も防止されている。
【００２８】
次に、ゼーベック素子２１について説明する。ゼーベック素子２１はゼーベック効果により電力を生じる熱発電部である。本実施形態のゼーベック素子２１は、第１伝熱空間３０の温度が第１側面２２に伝熱され、第２伝熱空間４０の温度が第２側面２３に伝熱されると、その温度差に応じて発電する。ゼーベック素子２１は、温度差によって発電量が変化する。発電した電力は電線５５を通じて接続される電子部品５０に供給される。
【００２９】
電子部品５０の構成について説明する。本実施形態の電子部品５０はドア１０の第１面材１１の視認性の良い位置に固定される。視認性の良い位置とは、例えば、ドアノブ１５の近傍やユーザの目の高さに応じた位置である。
【００３０】
電子部品５０の主要な構成について説明する。本実施形態の電子部品５０は、昇圧回路及び点滅回路を含む電子回路５１と、電子回路５１に接続される温度差表示部としてのＬＥＤランプ５２と、外装カバー５３と、を備える。
【００３１】
電子部品５０にゼーベック素子２１から供給される電力は電子回路５１の昇圧回路によって昇圧され、点滅回路を通じてＬＥＤランプ５２を点灯する電力となる。ＬＥＤランプ５２には点灯するための所定の電力量が設定されており、点灯により所定の温度差を表示する。
【００３２】
ゼーベック素子２１は、温度差に応じて発電量が大きくなるので、電圧値によって温度差を推定することができる。従って、ＬＥＤランプ５２が点灯する電力量をヒートショックが生じるおそれがある温度差で発電される電力量に設定することで、ヒートショックを起こすおそれのある温度差になると、ＬＥＤランプ５２が自動的に点灯する構成をシンプルな回路で実現できる。本実施形態のＬＥＤランプ５２は、供給される電力が大きくなれば大きくなるほど点滅回数が増えるように電子回路５１によって点滅制御される。
【００３３】
次に、ＬＥＤランプ５２による点灯時の一例について説明する。冬場はリビング等が暖房されるのに対し、脱衣所や浴室等は外気温の影響を受け易いため温度差が大きくなる場合がある。以下の例では、第１の部屋１００が暖かい空間となり、第２の部屋２００が寒い空間となった場合について説明する。
【００３４】
第１の部屋１００の温度が高くなるとゼーベック素子２１における第１伝熱空間３０に接する第１側面２２に伝熱される熱量が大きくなる。一方、第２の部屋２００の温度が低くなるとゼーベック素子２１における第２伝熱空間４０に接する第２側面２３に伝熱される熱量が小さくなる。従って、ゼーベック素子２１の第１側面２２の温度と第２側面２３の温度差が大きくなり、温度差がある程度大きくなるとゼーベック効果によりゼーベック素子２１から電子部品５０に電力が供給される。
【００３５】
ゼーベック素子２１で生じた電力は電線５５を介して電子部品５０に供給される。電子部品５０に供給される電力はＬＥＤランプ５２の点灯に用いられる。温度差が大きいほどヒートショックが生じるおそれが大きくなるが、本実施形態のＬＥＤランプ５２は温度差が大きければ大きいほど点滅の回数が多くなるように構成されているので、危険度がＬＥＤランプ５２の点灯制御に反映されることになる。
【００３６】
温度差が生じることを示すＬＥＤランプ５２は、ドア１０の第１面材１１に設置されている。従って、ドア１０をあけて第１の部屋１００から第２の部屋２００に入ろうとするユーザはＬＥＤランプ５２の点滅する光によって第１の部屋１００と第２の部屋２００の温度差がヒートショックを起こすおそれがあるほど大きくなっていることを容易に把握することができる。
【００３７】
次に表示端末９６に、温度差情報を送信する機能を実現する窓８０の各構成について説明する。図３は、窓８０の枠体８１の内部の様子を模式的に示す断面図である。図３では、紙面右側には相対的に暖かい空間となる傾向がある第１の部屋１００が位置し、左側には相対的に寒い空間となる傾向がある屋外３００が位置するものとする。また、以下の説明では、窓８０が備える枠体の第１の部屋１００を向く面を第１枠体面８２と称し、屋外３００を向く面を第２枠体面８３と称して説明する。
【００３８】
窓８０は、建築物１の開口部に取り付けられる建具であり、窓ガラス（図示省略）を保持する枠体８１を備える。図３に示すように、窓８０が備える枠体８１の内側には、熱発電部としてのゼーベック素子２２１を組み込むための内部空間５００が形成される。
【００３９】
枠体８１の第１枠体面８２には第１開口部１１１が形成され、この第１開口部１１１によって第１伝熱空間３１が形成される。第２枠体面８３には第２開口部１２１が形成され、この第２開口部１２１の内側に伝熱部形成部材８４が建具シール部材７２を介して固定される。伝熱部形成部材８４には伝熱部開口部１３１が形成されており、この伝熱部開口部１３１により第２伝熱空間４１が形成される。
【００４０】
第１伝熱空間３１は第１の部屋１００とゼーベック素子２２１の第１側面２２２を連通し、第２伝熱空間４１は、屋外３００とゼーベック素子２２１の第２側面２２３を連通する。
【００４１】
ゼーベック素子２２１は、ドア１０に設けられるゼーベック素子２１と同様に、素子シール部材６３，７３を介して枠体８１内部の厚み方向の略中央で固定されている。ゼーベック素子２２１は、第１伝熱空間３１の温度が第１側面２２２に伝熱され、第２伝熱空間４１の温度が第２側面２２３に伝熱されると、その温度差に応じて発電する。ゼーベック素子２２１は、温度差によって発電量が変化する。発電した電力は電線９５を通じて接続される電子部品９０に供給される。
【００４２】
電子部品９０は、昇圧回路及び無線通信回路を含む電子回路９１と、外装カバー９２と、を備える。本実施形態の電子部品９０は、第１枠体面８２に設けられている。電子部品９０は、ゼーベック素子２２１で発電された電力に基づいて作動し、発電量に基づいた温度差情報を表示端末９６に送信する。
【００４３】
表示端末９６は、電子部品９０から受信した温度差情報に基づいて画像を表示し、第１の部屋１００と屋外３００の温度差をユーザに伝達する。ゼーベック素子２２１の発電量は温度差に比例するので、複雑な回路構成を追加することなく、電子回路９１によって送信される温度差情報に現実の温度差を精度良く反映させることができる。
【００４４】
ユーザは、表示端末９６の画像情報に基づいて温度差を把握し、ヒートショックを予防する行動や外出時の服装等の選定等を行うことができる。なお、温度差の伝達方法としては、段階的な表示、数値や図形等の表示、音声等の発音による報知等、適宜の方法を採用できる。
【００４５】
以上説明した本実施形態によれば、以下のような効果を奏する。
即ち、本実施形態のドア１０は、ドア１０に組み込まれ、第１の部屋１００の温度が伝熱される第１側面２２と第２の部屋２００の温度が伝熱される第２側面２３の温度差に基づいて発電するゼーベック素子２１と、ドア１０の第１面材１１に配置され、ゼーベック素子２１によって生じた電力により作動し、点灯により温度差を表示するＬＥＤランプ５２と、を備える。
【００４６】
これにより、ヒートショックが生じるおそれがある温度差になるとゼーベック素子２１が発電してドア１０に設けられるＬＥＤランプ５２が点灯し、ユーザがヒートショックの危険を認識することができる。発電機能を有するゼーベック素子２１が第１の部屋１００と第２の部屋２００の温度差を検出する機能を兼用することになるので、装置構成や温度差を検出するための制御をシンプルにすることができる。
【００４７】
例えば、通常の温度センサ等を用いる場合、ドア１０に温度センサに電力を供給するための構成が必要となる。しかし、電源と接続するための配線を可動するドア１０に取り付ける場合は配線が複雑となり、バッテリー電源では電源が切れた状態になるおそれがある。この点、本実施形態の構成では、温度差によって発電するゼーベック素子２１を用いているので、電源の供給を別の手段で行うことを考慮する必要がなく、温度差を表示する機能をシンプルな構成で実現できる。
【００４８】
本実施形態では、温度差が大きくなるほどゼーベック素子２１で生じる電力が大きくなり点滅する間隔も短くなるので危険度が高くなるにつれてユーザがその危険を認識し易くなっている。
【００４９】
また、本実施形態の窓８０は、窓８０の枠体８１に組み込まれ、第１の部屋１００の温度が伝熱される第１側面２２２と屋外３００の温度が伝熱される第２側面２２３の温度差に基づいて発電するゼーベック素子２２１と、ゼーベック素子２２１によって生じた電力により作動し、温度差に基づく温度差情報を送信する電子回路９１を備える。
【００５０】
これにより、第１の部屋１００と屋外３００の温度差によりゼーベック素子２２１が発電し、温度差情報が外部（本実施形態では表示端末９６）に自動的に送信される。ユーザは、表示端末９６の表示に基づいて屋内と屋外の温度差を把握することができる。また、発電機能を有するゼーベック素子２２１が第１の部屋１００と屋外３００の温度差を検出するセンサ機能を兼用することになるので、電源を省略することができ、装置構成や温度差を検出するための制御をシンプルにすることができる。
【００５１】
また、本実施形態のドア１０は、ドア１０の第１面材１１に設けられ、ゼーベック素子２１の第１側面２２と第１の部屋１００を連通する第１伝熱空間３０と、第２面材１２の伝熱部形成部材１３に設けられ、ゼーベック素子２１の第２側面２３と第２の部屋２００を連通する第２伝熱空間４０と、第１伝熱空間３０と第２伝熱空間４０の連通を遮る建具シール部材７２及び素子シール部材６３，７３を更に備える。
【００５２】
また、窓８０においても、第１枠体面８２に設けられ、ゼーベック素子２２１の第１側面２２２と第１の部屋１００を連通する第１伝熱空間３１と、第２枠体面８３の伝熱部形成部材８４に設けられ、ゼーベック素子２２１の第２側面２２３と屋外３００を連通する第２伝熱空間４１と、第１伝熱空間３１と第２伝熱空間４１の連通を遮る建具シール部材７２及び素子シール部材６３，７３を更に備える。
【００５３】
これにより、ドア１０において、第１の部屋１００の温度及び第２の部屋２００の温度をゼーベック素子２１に効率良く伝熱する構造をシンプルに構成することができる。同様に、窓８０においても第１の部屋１００の温度及び屋外３００の温度をゼーベック素子２２１に効率良く伝熱する構造をシンプルにすることができる。建具シール部材７２及び素子シール部材６３，７３によって第１伝熱空間３０，３１と第２伝熱空間４０，４１の連通が遮られているので、建具の一側の空間の空気と他側の空間の空気が混じって実際の温度差が正確に反映されない事態を防止できる。
【００５４】
更に、本実施形態では、建具シール部材７２及び素子シール部材６３，７３は断熱性を有する材料で構成されている。これにより、ドア１０や窓８０の枠体８１を介するゼーベック素子２１への外部からの伝熱が確実に遮断される。なお、素子シール部材６３，７３及び建具シール部材６２，７２は、発泡スチロールやゴムパッキン等、材料や形状を事情に応じて適宜変更することができる。
【００５５】
以上、本発明の建具の好ましい一実施形態について説明したが、本発明は、上述の実施形態に制限されるものではなく、適宜変更が可能である。
【００５６】
次に、図４を参照して上記実施形態のドア１０の変形例について説明する。図４は、変形例のドア５１０の内部の様子を模式的に示す断面図である。なお、以下の説明において上記実施形態と同様の構成については同じ符号を付してその説明を省略することがある。
【００５７】
変形例のドア５１０では、ゼーベック素子２１を支持する構造が上記実施形態と異なっている。図４に示すように、ドア５１０の第１の部屋１００側に位置する第１面材５１１には第１開口部１１２が形成されており、第２の部屋２００側に位置する第２面材５１２には第２開口部１２２が形成される。
【００５８】
ドア５１０の内部空間５００における第１開口部１１２の周囲にはゼーベック素子２１を一側から支持するための第１支持部材６１が設けられる。第１支持部材６１は、第１開口部１１２の開口端から内側に延びるように形成されている。
【００５９】
第１支持部材６１は、第１の部屋１００側の端部がドア５１０の第１面材５１１の裏側に建具シール部材６２を介して固定される。建具シール部材６２は、断熱性を有する材料、例えば断熱ゴムで形成されており、ドア５１０と第１支持部材６１の隙間から外側の空気がドア５１０の内部空間５００に流入することを防ぐとともに、ドア５１０から第１支持部材６１への熱伝導を遮っている。
【００６０】
第１支持部材６１の第２の部屋２００側の端部は、素子シール部材６３を介してゼーベック素子２１を第１の部屋１００側から支持している。素子シール部材６３は、断熱性を有する材料、例えば断熱ゴムで形成されており、ゼーベック素子２１と第１支持部材６１の隙間から外側の空気がドア５１０の内部空間５００に流入することを防ぐとともに、第１支持部材６１からゼーベック素子２１への熱伝導を遮っている。
【００６１】
変形例の第１支持部材６１は、ゼーベック素子２１の第１の部屋１００側を囲うように形成されており、ゼーベック素子２１の第１の部屋１００側である第１側面２２と第１の部屋１００を接続する第１伝熱空間３２を形成する。
【００６２】
第１伝熱空間３２は、第１開口部１１２を通じて第１の部屋１００に連通しており、第１の部屋１００から空気が流入可能になっている。この第１伝熱空間３２の温度が第１側面２２に伝導されることにより、ゼーベック素子２１に第１の部屋１００の温度が伝熱される。
【００６３】
第２支持部材７１は、第２の部屋２００側の端部がドア５１０の第２面材５１２の裏側に建具シール部材７２を介して固定される。建具シール部材７２は、断熱性を有する材料、例えば断熱ゴムで形成されており、ドア５１０と第２支持部材７１の隙間から外側の空気がドア５１０の内部空間５００に流入することを防ぐとともに、ドア５１０から第２支持部材７１への熱伝導を遮っている。
【００６４】
第２支持部材７１の第１の部屋１００側の端部は、素子シール部材７３を介してゼーベック素子２１を第２の部屋２００側から支持している。素子シール部材７３は、断熱性を有する材料、例えば断熱ゴムで形成されており、ゼーベック素子２１と第２支持部材７１の隙間から外側の空気がドア５１０の内部空間５００に流入することを防ぐとともに、第２支持部材７１からゼーベック素子２１への熱伝導を遮っている。
【００６５】
変形例の第２支持部材７１は、ゼーベック素子２１の第２の部屋２００側を囲うように形成されており、ゼーベック素子２１の第２の部屋２００側の面である第２側面２３と第２の部屋２００を接続する第２伝熱空間４２を形成する。
【００６６】
第２伝熱空間４２は、第２開口部１２２を通じて第２の部屋２００に連通しており、第２の部屋２００から空気が流入可能になっている。この第２伝熱空間４２の温度が第２側面２３に伝導されることにより、ゼーベック素子２１に第２の部屋２００の温度が伝熱される。
【００６７】
ゼーベック素子２１は、第１支持部材６１及び第２支持部材７１によってドア５１０内部の厚み方向の略中央で固定されている。第１伝熱空間３２と第２伝熱空間４２の連通は、このゼーベック素子２１によって遮蔽されている。本変形例では、素子シール部材６３，７３によって第１支持部材６１及び第２支持部材７１とゼーベック素子２１の隙間が埋められているので、ゼーベック素子２１を迂回して第１伝熱空間３２の空気と第２伝熱空間４２の空気が混ざり合う事態が効果的に防止されている。
【００６８】
また、建具シール部材６２，７２によって第１支持部材６１及び第２支持部材７１とドア５１０の隙間が埋められているので、ドア５１０と第１支持部材６１及び第２支持部材７１の隙間から内部空間５００を通じて第１伝熱空間３２の空気と第２伝熱空間４２の空気が混ざり合う事態も防止されている。
【００６９】
以上説明したように、熱発電部としてのゼーベック素子を支持する構造は事情に応じて適宜変更することができる。また、上記実施形態の構成に、伝熱板を追加する構成とすることもできる。例えば、熱伝導性の高い材料で形成された板状部材を第１伝熱空間及び第２伝熱空間に配置する構成とすることもできる。また、第１伝熱部及び第２伝熱部を金属で構成することもできる。
【００７０】
上記実施形態では、ゼーベック素子が建具の内部空間５００の中央で支持される構成であるが、ゼーベック素子の一側の部位が建具の一側の面に略面一となるように建具に組み込み、第２の部屋２００又は屋外３００に連通する伝熱空間をゼーベック素子の他側の部位に接続する構成とすることもできる。
【００７１】
上記実施形態では、ゼーベック素子が１つ配置される例を示したがゼーベック素子を複数配置する構成とすることもできる。
【００７２】
また、温度差を表示する表示部はＬＥＤランプの形式に限定されない。電子ペーパ等の表示画面を有する電子機器を戸体に配置し、該電子機器にゼーベック素子で発電された電力を供給する構成とすることもできる。例えば、ゼーベック素子で発電された電力量に応じて電子ペーパの表示を段階的に変える構成とすることができる。
【００７３】
上記実施形態では、第１の部屋１００の温度が高く第２の部屋２００の温度が低くなることによって温度差が所定以上になった場合にＬＥＤランプ５２が作動するように構成されているが、この構成は適宜変更できる。例えば、第１の部屋１００の温度が低く第２の部屋２００の温度が高くなることによって温度差が所定以上になった場合にもＬＥＤランプ５２が作動するように電子回路５１の構成を変更することもできる。この場合にも急激な温度変化によって身体に負担がかかる事態を防止することができる。
【００７４】
上記実施形態では、ドア１０の第１面材１１に表示部としてのＬＥＤランプ５２が配置される構成であるが、ドアの第２面材１２にも同様の構成のＬＥＤランプを表示することもできる。上記実施形態では、第１の部屋１００から第２の部屋２００に移動するときに生じるおそれがあるヒートショックを防止するための構成であるが、ドア１０の両面にＬＥＤランプ表示することで第２の部屋２００から第１の部屋１００に移動するときのヒートショックも防止する構成とすることもできる。例えば、夏場では浴室の温度が高くなり、リビングの温度が冷房により下がることによって温度差が大きくなる場合もある。
【００７５】
ドア１０の電子部品５０に無線通信回路を更に設け、ＬＥＤランプ５２を点灯するとともに、無線通信により他の場所に設置される表示端末９６等の機器に温度差情報を送信する構成や、他の機器と連動して温度差を表示する構成とすることもできる。また、窓８０の電子部品９０にＬＥＤランプを追加する構成とすることもできる。更に、ドア１０の電子部品５０と窓８０の電子部品９０を入れ替える構成としてもよい。このように、建具に設けられる温度差を伝達するための構成は、事情に応じて適宜変更することができる。
【００７６】
上記実施形態では、建具の例としてドア１０，５１０や窓８０を例に説明したが、引戸や折れ戸等の他の種類の戸体、玄関ドア等の屋外と屋内を区画する戸体、開閉可能な窓等、種々の建具に本発明を適用することができる。
【００７７】
上記実施形態では、建築物１として住宅を例に説明したが、店舗や施設等、住宅に限らず種々の空間と空間を仕切る建具に本発明を用いることができる。
【符号の説明】
【００７８】
１０，５１０  ドア（建具）
１１  第１面材（建具の一側面）
１２  第２面材（建具の他側面）
２１，２２１  ゼーベック素子（熱発電部）
２２，２２２  第１側面（一側の部位）
２３，２２３  第２側面（他側の部位）
３０，３１，３２  第１伝熱空間（第１伝熱部）
４０，４１，４２  第２伝熱空間（第２伝熱部）
５２  ＬＥＤランプ（温度差表示部）
６２，７２  建具シール部材（シール部材）
６３，７３  素子シール部材（シール部材）
８０  窓（建具）
８２  第１枠体面（建具の一側面）
８３  第２枠体面（建具の他側面）
９１  電子回路（通信部）
１００  第１の部屋（一側の空間）
２００  第２の部屋（他側の空間）
３００  屋外（他側の空間）
【図１】
0006487819.tif 000002
【図２】
0006487819.tif 000003
【図３】
0006487819.tif 000004
【図４】
0006487819.tif 000005